(57)【特許請求の範囲】
【請求項１】
操作が行われる第１の操作部と、
前記第１の操作部による操作に基づいて、所定の機能を実行する機能実行部と、
所定の機能の実行の際に、前記機能の取扱に関する取扱情報が格納されている外部機器に接続された場合には、当該外部機器に前記機能の情報を出力して、実行画面に連携する情報の表示と自装置の表示内容の表示とを分割表示または表示毎の表示に切り替え可能に、自装置のディスプレイとは異なるディスプレイに表示させるように制御する制御部と、
を備えることを特徴とする電子装置。
【請求項２】
外部機器と電子装置とが連携する取扱情報表示システムにおいて、
前記外部機器は、前記電子装置における所定の機能の取扱に関する取扱情報を格納し、かつ、前記電子装置に接続し、
前記電子装置は、操作が行われる第１の操作部と、前記第１の操作部による操作に基づいて、所定の機能を実行する機能実行部と、所定の機能の実行の際に、前記外部機器に前記機能の情報を出力して、実行画面に連携する情報の表示と自装置の表示内容の表示とを分割表示または表示毎の表示に切り替え可能に、電子装置のディスプレイとは異なるディスプレイに表示させるように制御する制御部と、
を備えることを特徴とする取扱情報表示システム。
【請求項３】
外部機器と電子装置とが連携する取扱情報表示方法において、
前記電子装置に設けられる第１の操作部への操作が行われる操作工程と、
前記操作工程により前記第１の操作部への所定の操作がされたときに、前記電子装置に設けられる機能実行部により所定の機能が実行される機能実行工程と、
所定の機能の実行の際に、所定の機能の取扱に関する取扱情報が格納されている前記外部機器に接続された場合には、当該外部機器に前記機能の情報を出力して、実行画面に連携する情報の表示と自装置の表示内容の表示とを分割表示または表示毎の表示に切り替え可能に、電子装置のディスプレイとは異なるディスプレイに表示させるように制御させる制御工程と、
を備えることを特徴とする取扱情報表示方法。
【発明の詳細な説明】
【技術分野】
【０００１】
本発明は、電子装置、取扱情報表示システム及び取扱情報表示方法に関する。
【背景技術】
【０００２】
従来より、電子装置の操作方法を記載した取扱説明書の冊子が電子装置に同梱されており、ユーザはこの取扱説明書を参照しながら電子装置の操作や機能を把握していた。電子機器の中でも、特に携帯電話機においては、近年、カメラ機能やテレビ機能等の多くの機能が追加され、多機能化が図られてきているために、それに伴って取扱説明書の内容も複雑化し、分量が増大している。
一方、このような取扱説明書に代えて、多機能化に伴う分量の増大や紙資源の節約による紙媒体から電子媒体への移行等の要請に対応して、取扱説明書の内容を電子化したものが保存されるＣＤ−ＲＯＭを携帯電話機の取扱説明書として使用することも行われている。このような電子化された取扱説明書は、ＣＤ−ＲＯＭをパソコン（ＰＣ）で読み込むことにより、ＰＣを使用して閲覧が行われる。
【先行技術文献】
【特許文献】
【０００３】
【特許文献１】特開２００５−１４８１５６号公報
【発明の概要】
【発明が解決しようとする課題】
【０００４】
しかし、電子化された取扱説明書は、閲覧するためにパソコンが必須である上に、パソコンの操作が伴うために、パソコンに不慣れなユーザにとっては敷居が高いものであった。さらに、検索に関しても、適切なキーワードやカテゴリ等を選ばなければ、該当箇所を探し出すことができないために、却ってユーザに新たな負担を強いることになり、結果として、取扱説明書の利用や携帯電話機の機能の利用が図れないという事態が生じていた。
【０００５】
本発明は、上述した問題に鑑みてなされたものであって、ユーザへの負担が少なく、取り扱いに関する取扱情報と連携することができる電子装置、取扱情報表示システム及び取扱情報表示方法を提供することを目的とする。
【課題を解決するための手段】
【０００６】
本発明に係る電子装置は、上記課題を解決するために、操作が行われる第１の操作部と、前記第１の操作部による操作に基づいて、所定の機能を実行する機能実行部と、所定の機能の実行の際に、前記機能の取扱に関する取扱情報が格納されている外部機器に接続された場合には、当該外部機器に前記機能の情報を出力して、実行画面に連携する情報の表示と自装置の表示内容の表示とを分割表示または表示毎の表示に切り替え可能に、自装置のディスプレイとは異なるディスプレイに表示させるように制御する制御部と、を備えることを特徴とする。
【００１２】
また、本発明に係る取扱情報表示システムは、上記課題を解決するために、外部機器と電子装置とが連携する取扱情報表示システムにおいて、前記外部機器は、前記電子装置における所定の機能の取扱に関する取扱情報を格納し、かつ、前記電子装置に接続し、前記電子装置は、操作が行われる第１の操作部と、前記第１の操作部による操作に基づいて、所定の機能を実行する機能実行部と、所定の機能の実行の際に、前記外部機器に前記機能の情報を出力して、実行画面に連携する情報の表示と自装置の表示内容の表示とを分割表示または表示毎の表示に切り替え可能に、電子装置のディスプレイとは異なるディスプレイに表示させるように制御する制御部と、を備えることを特徴とする。
【００１３】
また、本発明に係る取扱情報表示方法は、外部機器と電子装置とが連携する取扱情報表示方法において、前記電子装置に設けられる第１の操作部への操作が行われる操作工程と、前記操作工程により前記第１の操作部への所定の操作がされたときに、前記電子装置に設けられる機能実行部により所定の機能が実行される機能実行工程と、所定の機能の実行の際に、所定の機能の取扱に関する取扱情報が格納されている前記外部機器に接続された場合には、当該外部機器に前記機能の情報を出力して、実行画面に連携する情報の表示と自装置の表示内容の表示とを分割表示または表示毎の表示に切り替え可能に、電子装置のディスプレイとは異なるディスプレイに表示させるように制御させる制御工程と、を備えることを特徴とする。
【発明の効果】
【００１４】
本発明によれば、ユーザへの負担が少なく、取り扱いに関する取扱情報と連携することができる。
【図面の簡単な説明】
【００１５】
【図１】本発明の機能対応情報表示システムを示す図で、（ａ）はケーブルと携帯電話機との接続を示す図、（ｂ）は取扱情報をディスプレイ装置に表示させた状態を示す図である。
【図２】本発明に係る電子装置の一例である携帯電話機の外観斜視図である。
【図３】本実施形態における携帯電話機の機能を示す機能ブロック図である。
【図４】本実施形態におけるＣＤ−ＲＯＭ読取装置の機能を示す機能ブロック図である。
【図５】本実施形態において電話機能の起動中にＣＤ−ＲＯＭ読取装置から携帯電話機を操作している状態を示す模式図である。
【図６】本実施形態において着信音設定機能の起動中にＣＤ−ＲＯＭ読取装置から携帯電話機を操作している状態を示す模式図である。
【図７】本実施形態における携帯電話機とＣＤ−ＲＯＭ読取装置の動作を示すフロー図である。
【図８】本実施形態における紐付けコマンド処理の詳細を示すフロー図である。
【発明を実施するための形態】
【００１６】
以下、本発明の実施の形態について図１から４を用いて説明する。図１は、本発明の取扱情報表示システムＳを示す図で、図１（ａ）はケーブル２６と携帯電話機１との接続を示す図、図１（ｂ）は取扱情報をディスプレイ装置２２に表示させた状態を示す図である。図２は、本発明に係る電子装置の一例である携帯電話機１の外観斜視図である。図３は、本実施形態における携帯電話機１の機能を示す機能ブロック図である。図４は、本実施形態におけるＣＤ−ＲＯＭ読取装置２の機能を示す機能ブロック図である。
【００１７】
取扱情報表示システムＳは、携帯電話機１（電子装置）とＣＤ−ＲＯＭ読取装置２（外部機器）と、を備える。図１（ａ）に示すように、携帯電話機１に後述するケーブル２６を接続させることにより、携帯電話機１とＣＤ−ＲＯＭ読取装置２とが接続されて、取扱情報表示システムＳとして機能する（図１（ｂ）を参照）。
【００１８】
まず、携帯電話機１は、操作部側筐体部１１と、表示部側筐体部１２と、を備えて構成される。操作部側筐体部１１には、操作キー１４と、携帯電話機１の使用者が通話時に発した音声が入力されるマイク１５と、を備えて構成される。操作キー１４は、各種設定やアドレス帳機能やメール機能等の各種機能を動作させるための機能設定操作キー１４ａと、電話番号の数字やメール等の文字等を入力するための入力操作キー１４ｂと、各種操作における決定やスクロール等を行う決定操作キー１４ｃと、から構成されている。
【００１９】
また、表示部側筐体部１２には、各種の情報を表示するためのディスプレイ１６（第１の表示部）と、通話の相手側の音声を出力する音声出力部１８と、被写体を撮像するＣＣＤ（Ｃｈａｒｇｅ  Ｃｏｕｐｌｅｄ  Ｄｅｖｉｃｅ）カメラ等により構成される撮像部１７と、を備えて構成されている。
【００２０】
また、操作部側筐体部１１の上端部と表示部側筐体部１２の下端部とは、ヒンジ機構１３を介して連結されている。また、携帯電話機１は、ヒンジ機構１３を介して連結された操作部側筐体部１１と表示部側筐体部１２とを相対的に回転することにより、操作部側筐体部１１と表示部側筐体部１２とが互いに開いた状態（開状態）にしたり、操作部側筐体部１１と表示部側筐体部１２とが折り畳まれた状態（閉状態）にしたりできる。
【００２１】
次に、ＣＤ−ＲＯＭ読取装置２は、メディア読取装置２１と、ディスプレイ装置２２と、マウス２３とを備える。メディア読取装置２１は、後述する取扱情報が保存されるＣＤ−ＲＯＭ２５の内容を読取可能に構成され、格納可能なメディア格納部２４と、携帯電話機１にデータ通信可能に接続するケーブル２６とを有し、例えば、ＰＣ（Ｐｅｒｓｏｎａｌ  Ｃｏｍｐｕｔｅｒ）に相当する機能を有する。ＣＤ−ＲＯＭ２５は、開閉可能なメディア格納部２４に載置されて、メディア読取装置２１の内部に収容される（図１（ｂ）を参照）。ケーブル２６は、先端に携帯電話機１に接続可能な接続端子部２６ａを備えて構成される。携帯電話機１には、接続端子部２６ａに対応した、図示しない被接続端子部が設けられる。
【００２２】
ディスプレイ装置２２は、メディア読取装置２１に接続され、メディア読取装置２１によりＣＤ−ＲＯＭ２５から読み出された内容等を表示する。マウス２３は、ポインティングデバイスであって、ディスプレイ装置２２に表示されたポインタＰを操作可能に構成される。
【００２３】
また、携帯電話機１は、図３に示すように、さらに、メモリ３３と、入力データ取得部３４と、表示制御部３５と、電源部３６と、電源使用量検出部３７と、電話発信部３８と、電話受信部３９、無線ＬＡＮ（Ｌｏｃａｌ  Ａｒｅａ  Ｎｅｔｗｏｒｋ）機能部４０と、ブラウザ機能部４１、メール送信部４２と、メール受信部４３と、動作中機能出力部４４をさらに有する。
【００２４】
メモリ３３は、各種のデータを記憶する。入力データ取得部３４は、操作を検出する。表示制御部３５は、例えば、操作キー１４がユーザによって操作された場合に、その操作内容を検出し操作内容に対応する信号を発生して、後述する主制御部３２に入力させる。表示制御部３５は、ディスプレイ１６の表示を制御する。電源部３６は、携帯電話機１に備えられる各機能に電源を供給する。電源使用量検出部３７は、電源の使用量を検出する。電話発信部３８及びメール送信部４２は、移動体通信網を介して不図示の基地局と接続され、それぞれ発信信号を基地局へ発信する。電話受信部３９及びメール受信部４３は、移動体通信網を介して不図示の基地局と接続され、それぞれ発信信号を基地局から受信する。無線ＬＡＮ機能部４０は、無線により不図示のアクセスポイントと接続され、データの送受信を行う。ブラウザ機能部４１は、携帯電話機１が基地局又はアクセスポイントに接続された状態で起動されると、ウェブサーバにアクセスする機能を有する。動作中機能出力部４４は、後述する機能実行部３１において実行された所定の機能（動作中の機能）をＣＤ−ＲＯＭ読取装置２に出力する。
【００２５】
また、ＣＤ−ＲＯＭ読取装置２は、図４に示すように、さらに、主制御部５１と、表示制御部５２と、メモリ５３と、入力データ取得部５４と、動作中機能検出部５５とを有する。主制御部５１は、表示制御部５２や動作中機能検出部５５等との間でデータのやり取りや制御を行う。表示制御部５２は、ディスプレイ装置２２の表示の制御を行う。メモリ５３は、画面情報等を一時的に記憶するバッファ領域を含み、各種データを記憶する。入力データ取得部５４は、マウス２３からの入力をデータとして取得するように構成される。マウス２３がユーザによって操作された場合に、その操作内容を検出し操作内容に対応する信号を発生して、主制御部５１に入力させる。動作中機能検出部５５は、携帯電話機１から出力されたデータの中から動作中機能情報を検出する。
【００２６】
このように構成される取扱情報表示システムＳでは、ユーザへの負担が少なく、取り扱いに関する取扱情報と連携することができる機能を有している。
【００２７】
ここで、上述したような機能を発揮するための構成について図３から図６を用いて説明する。図５は、本実施形態において電話機能起動中にＣＤ−ＲＯＭ読取装置２から携帯電話機１を操作している状態を示す模式図である。図６は、本実施形態において着信音設定機能の起動中にＣＤ−ＲＯＭ読取装置２から携帯電話機１を操作している状態を示す模式図である。
【００２８】
以上のように構成される携帯電話機１は、さらに、機能実行部３１と、主制御部３２（制御部）とを備える。操作キー１４（第１の操作部）は、ユーザにより操作が行われる。機能実行部３１は、操作キー１４による操作に基づいて、所定の機能を実行する。ディスプレイ１６（第１の表示部）は、機能実行部により所定の機能が実行され、機能に対応する実行画面を表示する。主制御部３２（制御部）は、所定の機能の実行の際に、機能の取扱に関する取扱情報が格納されているＣＤ−ＲＯＭ読取装置２（外部機器）に接続され、ＣＤ−ＲＯＭ読取装置２から取扱情報を読み出して、ディスプレイ１６に実行画面に連携する情報を表示させるように制御する。
【００２９】
なお、取扱情報とは、携帯電話機１の取り扱いに関する情報であって、本実施形態においては、取扱説明書を電子化した情報により構成される。
【００３０】
携帯電話機１は、操作キー１４への操作が行われることにより、機能実行部３１により例えば、メールやカメラ等の所定の機能が実行される。そして、所定の機能が実行されることにより、携帯電話機１は、ディスプレイ１６には実行画面が表示される。また、ディスプレイ１６に実行画面が表示されることにより、携帯電話機１は、ケーブル２６によりＣＤ−ＲＯＭ読取装置２と接続されている場合には、ＣＤ−ＲＯＭ読取装置２に格納されるＣＤ−ＲＯＭ２５内の取扱情報を読み出して、取扱情報の表示を行う。
【００３１】
携帯電話機１では、操作キー１４を操作して、例えば、メールのアプリケーションを起動させた状態で、ケーブル２６の接続端子部２６ａを被接続端子部に接続することにより、ディスプレイ１６には、ＣＤ−ＲＯＭ２５内に保存される取扱説明書の中のメールのアプリケーションの記載箇所が表示される。
【００３２】
したがって、ユーザは、携帯電話機１の使用において、ＰＣ操作等の操作を知らなくても、アプリケーションを起動するだけで、このアプリケーションの取扱情報を表示させることができる。そして、ユーザは、この表示を確認して、アプリケーションの操作等に利用することができる。携帯電話機１においては、ユーザへの負担が少なく、取扱情報を表示することができる。
【００３３】
また、主制御部３２は、ＣＤ−ＲＯＭ読取装置２に設けられるディスプレイ装置２２（第２の表示部）に取扱情報を表示させるように制御する。
【００３４】
例えば、携帯電話機１は、図１（ａ）に示すように、カメラのアプリケーションを起動した状態で、ケーブル２６の接続端子部２６ａを携帯電話機１の被接続端子部に接続する。このことにより、携帯電話機１は、アプリケーションの起動情報をＣＤ−ＲＯＭ読取装置２に送信する。このアプリケーションの起動情報を受信したＣＤ−ＲＯＭ読取装置２は、図１（ｂ）に示すように、格納される取扱情報をディスプレイ装置２２に格納されるＣＤ−ＲＯＭ内に保存される取扱説明書のカメラのアプリケーションの記載部分を取扱情報として表示する。
【００３５】
このように構成される携帯電話機１は、ディスプレイ１６とは異なるディスプレイ装置２２に取扱情報を表示するために、ディスプレイ装置２２が携帯電話機１のディスプレイ１６よりも大型の画面で構成することもでき、大画面で取扱情報を確認することができる上に、より詳細で情報量の多い取扱情報を提供することができる。
【００３６】
また、主制御部３２は、ディスプレイ１６（第１の表示部）に取扱情報を表示させるように制御する。このように構成される携帯電話機１は、ディスプレイ１６を携帯電話機１の表示と取扱情報の表示を行う表示部として兼用して使用することができるために、新たにディスプレイ装置２２等の表示部を設ける必要がなく、ハードウエア資源の節約ができる。この際、ディスプレイ１６においては、全画面にそれぞれの表示、つまり、携帯電話機１の表示と取扱情報の表示を表示毎に切り替えるようにしても良い。また、ディスプレイ１６は、例えば、画面を２分割等して、一方に携帯電話機１の画面表示をし、他方に取扱情報を表示することにより、１画面にて携帯電話機１の表示と単独での操作画面と取扱情報を表示しても良い。このようにディスプレイ１６に１画面に携帯電話機１の表示と単独での操作画面と取扱情報を表示することにより、ユーザはそれぞれの表示が対比しやすくすることができる。
【００３７】
また、ＣＤ−ＲＯＭ読取装置２は、マウス２３（第２の操作部）を備える。マウス２３は、操作がされることに基づいて、前記所定の機能が実行されて遠隔操作可能に構成される。
【００３８】
このように構成される携帯電話機１では、ユーザは、ディスプレイ装置２２に表示される取扱情報を確認しながら、ディスプレイ装置２２に表示されるマウス２３のポインタＰを操作して、携帯電話機１を遠隔操作する。
【００３９】
したがって、このように携帯電話機１を構成することにより、ユーザは、ディスプレイ装置２２に表示される取扱情報を確認しながら、その画面上の操作方法等に従って、マウスを動かすことにより、取扱情報上で携帯電話機１の操作を行うことができる。
【００４０】
例えば、電話の機能を実行（起動）している場合には、図５に示すように、ディスプレイ装置２２には、操作キー１４を模式的に現した画像情報ｍ１と、電話の機能の説明に関する文字情報ｔ１が取扱情報として表示される。ユーザは、表示される取扱情報を画面上のポインタＰをマウス２３で操作して、画像情報ｍ１の中の番号部分をクリックし、操作キー１４と実際に操作しているように電話番号の入力や発信を行うことができる。また、ユーザは、文字情報ｔ１から機能の説明を参照したり、文字情報ｔ１をマウスでクリックして文字情報ｔ１のガイダンス等に従ったりして、電話の機能を使用することができる。
【００４１】
また、着信音の選択（変更）の機能を実行（起動）している場合には、図６に示すように、ディスプレイ装置２２には、ディスプレイ１６に表示される着信音選択の実行画面を現した画像情報ｍ２と、着信音の選択についての説明に関する文字情報ｔ２が取扱情報として表示される。ユーザは、表示される取扱情報を画面上のポインタＰをマウス２３で操作して、画像情報ｍ２のパターンを選択して、着信音を直接変更することができる。また、ユーザは、文字情報ｔ２から機能の説明を参照したり、文字情報ｔ２をマウスでクリックして文字情報ｔ２のガイダンス等に従ったりして、着信音選択の機能を使用することができる。
よって、携帯電話機１では、ユーザへの負担が少なく、携帯電話機１の取扱情報を表示することができる。
【００４２】
また、携帯電話機１では、マウス２３の操作がされることに基づいて、所定の機能が実行されて遠隔操作される場合には、ディスプレイ１６にその旨が表示される。したがって、ユーザは、携帯電話機１の遠隔操作がされることを知ることができる。
【００４３】
以上のように構成される取扱情報表示システムＳにおいては、携帯電話機１を例えば、ケーブル２６等によりＣＤ−ＲＯＭ読取装置２と接続し、携帯電話機１とＣＤ−ＲＯＭ読取装置２とを通信可能状態にする。この状態において、携帯電話機１において、所定の機能を実行することにより、携帯電話機１の取扱情報（例えば、待ち受け状態、機能設定可能状態、発信可能状態等の現在の携帯電話機１の状態の情報）が表示される。このため、ユーザは、ＣＤ−ＲＯＭ読取装置２のケーブル２６等を携帯電話機１に接続させるだけで、現在の状態（例えば、メール起動画面）から可能な操作の範囲内（例えば、メール作成や受信フォルダの参照等）で取扱情報を表示することができる。したがって、取扱情報表示システムＳは、ユーザへの負担が少なく、携帯電話機１の取扱情報を表示することができる。
【００４４】
次に、取扱情報表示システムＳの動作について、図７及び図８を参照しながら説明する。図７は、本実施形態における携帯電話機１とＣＤ−ＲＯＭ読取装置２の動作を示すフロー図である。図８は、本実施形態における紐付けコマンド処理の詳細を示すフロー図である。
【００４５】
図７に示すように、ステップＳＴ１において、携帯電話機１は、機能起動指示検出を行い、ステップＳＴ２に進む。具体的には、入力データ取得部３４は、操作キー１４において所定の操作（例えば、各種アプリケーション、Ｗｅｂ、メール、通話や携帯電話機の設定等の機能を起動させる操作）がされた場合には、当該操作を検出する。
【００４６】
ステップＳＴ２において、携帯電話機１は、指定機能起動を行い、ステップＳＴ３に進む。具体的には、機能実行部３１は、ステップＳＴ１において検出された機能起動指示に基づいて、検出結果に対応する機能を起動（実行）する。
【００４７】
ステップＳＴ３において、携帯電話機１は、ＣＤ−ＲＯＭ読取装置２との接続検出を行う。具体的には、主制御部３２は、ＣＤ−ＲＯＭ読取装置２のケーブル２６が接続され、通信可能状態になったか否かを検出する。
携帯電話機１は、ＣＤ−ＲＯＭ読取装置２との接続が検出された場合（Ｙ）には、ステップＳＴ４へ進む。また、携帯電話機１は、ＣＤ−ＲＯＭ読取装置２との接続が検出されない場合（Ｎ）には、ステップＳＴ５へ進む。
【００４８】
ステップＳＴ４において、携帯電話機１は、起動機能出力処理を行う。具体的には、動作中機能出力部４４は、起動している機能の情報をＣＤ−ＲＯＭ読取装置２に出力（送信）する。
そして、携帯電話機１は、操作キー１４への操作やＣＤ−ＲＯＭ読取装置２のマウス２３への操作を待って、処理を終了する。
出力される情報は、本実施形態においては、ディスプレイ１６に表示された情報から取得した機能名称が用いられる。なお、出力される情報は、これに限られず、ディスプレイ１６の画面のキャプチャー画像でも良い。画面のキャプチャー画像を用いる場合には、ＣＤ−ＲＯＭ読取装置２のメモリには、予め画面のキャプチャー画像によりＣＤ−ＲＯＭ２５内の取扱説明書のデータの検索が可能なような、例えば、機能が起動しているときの画面の画像の一部の情報が保存される。また、出力される情報は、上述したような情報に限られず、携帯電話機１において現在起動している機能が特定でき、ＣＤ−ＲＯＭ２５内に保存される取扱説明書のデータの検索が可能な情報であれば良い。
【００４９】
ステップＳＴ５において、携帯電話機１は、機能動作処理を行う。具体的には、機能実行部３１は、ステップＳＴ２で、起動した指定機能を動作させる、すなわち、携帯電話機１の操作キー１４の操作等がされることにより、撮像や画像補正等に関する動作を実行する。なお、本ステップでは、各動作の状態を動作中機能出力部４４により出力するように構成しても良い。このように構成することにより、機能単位ではなく、機能内の動作単位でより詳細な取扱情報を表示させるように構成することができる。
【００５０】
ステップＳＴ６において、ＣＤ−ＲＯＭ読取装置２は、起動機能検知を行い、ステップＳＴ７に進む。本ステップでは、動作中機能検出部５５は、起動機能出力に基づいて、検知された起動中の機能を検出する。
【００５１】
ステップＳＴ７において、ＣＤ−ＲＯＭ読取装置２は、取扱説明書データの検索を行い、ステップＳＴ８へ進む。具体的には、メディア読取装置２１は、格納されるＣＤ−ＲＯＭ２５に保存されている取扱説明書のデータの中から起動中の機能に対応する取扱情報（該当機能ページ）の検索をする。この際、メディア読取装置２１は、携帯電話機１の出力された機能名称（例えば、カメラ）に基づいて、文字データの検索を行う。
【００５２】
ステップＳＴ８において、ＣＤ−ＲＯＭ読取装置２は、検索結果に該当機能があるか否かの判定を行う。メディア読取装置２１は、ステップＳＴ７において実行された検索結果の中に該当機能ページ（取扱情報）があった場合（Ｙ）には、ステップＳＴ９に進む。また、メディア読取装置２１は、ステップＳＴ７において実行された検索結果の中に該当機能ページ（取扱情報）がなかった場合（Ｎ）には、ステップＳＴ１０に進む。
【００５３】
ステップＳＴ９において、ＣＤ−ＲＯＭ読取装置２は、該当機能ページのバッファへの出力を行い、ステップＳＴ１１に進む。具体的には、ＣＤ−ＲＯＭ読取装置２は、取扱説明書のデータの中の該当する機能の情報が記載されたページをメモリ５３のバッファ領域に出力する。
【００５４】
ステップＳＴ１０において、ＣＤ−ＲＯＭ読取装置２は、メッセージ表示や近似機能表示等を行う。具体的には、主制御部５１は、該当ページがない旨を表示制御部を介してディスプレイ装置２２に表示する。また、主制御部５１は、検索結果の中に、機能名称と近似した機能の情報や機能名称の一部が合致するような機能が記載されたページがあるときは、該当機能に有益な情報である場合が多いために、このページを代わりに表示する。
【００５５】
ステップＳＴ１１において、ＣＤ−ＲＯＭ読取装置２は、バッファデータの表示出力処理を行う。具体的には、主制御部５１は、ステップＳＴ９でメモリ５３のバッファ領域に格納された該当機能ページのデータを表示制御部を介して、ディスプレイ装置２２に表示する。
【００５６】
ステップＳＴ１２において、ＣＤ−ＲＯＭ読取装置２は、該当ページに紐付けコマンドがあるか否かを判定する。ＣＤ−ＲＯＭ読取装置２は、該当ページに紐付けコマンドがない場合（Ｎ）には、ステップＳＴ１３に進む。また、ＣＤ−ＲＯＭ読取装置２は、該当ページに紐付けコマンドがある場合（Ｙ）には、ステップＳＴ１４に進む。
紐付けコマンドとは、ディスプレイ装置２２に表示されるポインタＰ等を操作することにより機能ページのリンク等が指定されると、携帯電話機１に対して、機能実行のコマンドを送信し、携帯電話機１の遠隔操作を行うことを可能にするコマンドである。
【００５７】
ステップＳＴ１３において、ＣＤ−ＲＯＭ読取装置２は、表示ページ変更処理等を行い、処理を終了する。主制御部５１は、例えば、ポインタＰが操作されて、他のページの表示の指示があった場合に、表示制御部を介して、表示ページの変更を行う。
【００５８】
図８に示すように、ステップＳＴ１４において、ＣＤ−ＲＯＭ読取装置２は、該当ページのコマンド紐付け検出を行い、ステップＳＴ１５に進む。本ステップでは、主制御部５１は、該当ページ内に紐付けられるコマンドの検出を行う。
【００５９】
ステップＳＴ１５において、ＣＤ−ＲＯＭ読取装置２は、該当ページのコマンド操作の検出を行い、ステップＳＴ１６に進む。具体的には、入力データ取得部５４は、該当ページのコマンドがポインタＰ等により指定されたことを検出する。
【００６０】
ステップＳＴ１６において、ＣＤ−ＲＯＭ読取装置２は、コマンドの出力処理を行い、ステップＳＴ２２に進む。具体的には、入力データ取得部５４は、指定されたコマンドを携帯電話機１に送信する。
【００６１】
ステップＳＴ１７において、携帯電話機１は、コマンドの受信を行い、ステップＳＴ１８に進む。携帯電話機１において、ステップＳＴ１６でＣＤ−ＲＯＭ読取装置２から送信されたコマンドを受信する。
【００６２】
ステップＳＴ１８において、携帯電話機１は、コマンド動作の処理を行い、ステップＳＴ１９に進む。機能実行部３１は、受信したコマンドに基づいて、コマンドにより指定される機能を実行する。
【００６３】
ステップＳＴ１９において、携帯電話機１は、表示更新を行い、ステップＳＴ２０に進む。主制御部３２は、コマンドによる機能の実行に伴って、表示制御部３５を介して、画面の表示を更新する。
【００６４】
ステップＳＴ２０において、携帯電話機１は、終了動作、あるいは接続解除通知があるか否かを判定する。携帯電話機１は、終了動作、あるいは接続解除通知がない場合（Ｎ）には、ステップＳＴ１７に進み、コマンドの受信待機状態に戻る。また、携帯電話機１は、終了動作、あるいは接続解除通知がある場合（Ｙ）には、ステップＳＴ２１に進む。終了動作とは、ＣＤ−ＲＯＭ読取装置２からのコマンドの受信待機状態を解除する操作がされた状態である。接続解除通知とは、ＣＤ−ＲＯＭ読取装置２と接続を解除する操作がされた通知である。
【００６５】
ステップＳＴ２１において、携帯電話機１は、終了通知を行い、処理を終了する。具体的には、主制御部３２は、ステップＳＴ２０での判定結果を受けて、ＣＤ−ＲＯＭ読取装置２に対して、コマンドの受信を終了する旨の通知を行う。
【００６６】
ステップＳＴ２２において、ＣＤ−ＲＯＭ読取装置２は、終了操作検知があったか否かを判定する。ＣＤ−ＲＯＭ読取装置２は、終了操作検知がない場合（Ｎ）には、ステップＳＴ１５に進み、紐付けコマンドのリンクへの操作を待つ状態となる。ＣＤ−ＲＯＭ読取装置２は、終了操作検知があった場合（Ｙ）には、ステップＳＴ２３に進む。
【００６７】
ステップＳＴ２３において、ＣＤ−ＲＯＭ読取装置２は、表示バッファのクリアを行い、処理を終了する。具体的には、ＣＤ−ＲＯＭ読取装置２は、メモリ５３のバッファ領域に格納される取扱説明書のデータを削除（クリア）する。
【００６８】
したがって、取扱情報表示システムＳは、ユーザへの負担が少なく、携帯電話機１の取扱情報を表示することができる。
【００６９】
以上のように構成される取扱情報表示システムＳにおいては、ディスプレイ装置２２に表示された取扱情報をユーザの利用情報としてＣＤ−ＲＯＭ読取装置２や携帯電話機１に設けられる送信部を介して、集計サーバに送信しても良い。この際、ＣＤ−ＲＯＭ読取装置２や携帯電話機１は、例えば、取扱説明書の該当ページや、検索キーワードや、検索された取扱情報が適切であったか等の要否や、取扱情報の分かりやすさ等の取扱説明書の評価等の情報を送信しても良い。このように送信される情報を取扱説明書の利用情報を、取扱説明書の提供元等が利用することにより、取扱説明書の改善等に利用することができる。
【００７０】
以上、本発明に係る携帯電話機１の好適な実施形態について説明したが、本発明に係る携帯電話機は、上述した実施形態に限定されることなく種々の形態で実施することができる。
【００７１】
なお、取扱情報は、取扱説明書を電子化した情報に限られず、携帯電話機１の機能に関する情報（例えば、機能名称の解説）や、携帯電話機１の機能に関連した有用な情報（例えば、カメラ機能の取扱情報であるならば、より美しく映るような撮影方法や携帯電話機１の設定の紹介や、カメラ機能をさらに向上させるような携帯電話機１のオプション品の紹介等）であっても良い。
【００７２】
また、本実施形態においては、ケーブル２６により、携帯電話機１とＣＤ−ＲＯＭ読取装置２とを接続したがこれに限られない。ケーブル２６等の有線接続に限られず、データ通信可能であれば良く、その形態は、例えば、赤外線、Ｂｌｕｅｔｏｏｔｈ（登録商標）等でもあっても良く、また、インターネット等のネットワークを経由して、データが通信されるものであっても良い。
【００７３】
また、本実施形態においては、ＣＤ−ＲＯＭ２５により取扱情報を入手したが、これに限られない。例えば、電子化した取扱説明書等のデータを検索して、取得可能であればＣＤ−ＲＯＭやメモリカード等の外部の記憶媒体（メディア）に限られず、内部メモリやインターネット上のサーバ等であっても良い。
【００７４】
また、本実施形態においては、入力データ取得部３４としてマウスを用いたが、これに限られない。ディスプレイ装置に表示されるポインタＰ等入力操作が可能であれば良く、例えば、キーボード、リモコン、ディスプレイ装置をタッチパネルとして構成して直接的にユーザが画面を指等で操作するものであっても良い。
【００７５】
また、本実施形態においては、機能名称を検索キーにしているがこれに限られず、表示画面のキャプチャ画像等の画像であっても良い。また、データ集合の中から該当データを検索可能であれば良く、例えば、テーブル等で対応関係があるように設定しても良い。また、起動中の機能の情報を携帯電話機１において特定し、出力しているが、これに限られず、例えば、ＣＤ−ＲＯＭ読取装置側から画面情報等を読み出して入手するように構成しても良い。
【００７６】
また、本実施形態においては、入力データ取得部３４の操作として操作キー１４の入力を例に挙げたが、これに限られない。所定の機能が実行可能であれば良く、操作キー１４の入力の他に、例えば、本実施形態のような折り畳み型の携帯電話においては、閉状態である待機状態から開状態への移行する操作も含むものとして構成することができる。
【００７７】
また、本実施形態において所定の機能としては、メールやカメラ等の所定のアプリケーションの実行を例として用いたが、これに限られない。アプリケーション内における所定の動作、例えば、メールのアプリケーションの場合にあっては、フォルダの選択、メールの作成、又はメールの送信等を含み、カメラのアプリケーションの場合にあっては、例えば、撮像、フォーカス、撮像画像の画像編集等を含むものとして構成することができる。また、所定のアプリケーションに関わらず、待ち受け状態や機能設定状態から、操作により実行可能な動作も含む。待ち受け状態においては、例えば、待ち受け状態から起動が可能な各種アプリケーションの情報等を含むように構成することができる。また、機能設定状態においては、例えば、音の設定や、マナーモード設定等の各種設定の情報を含むように構成することができる。
【００７８】
また、本実施形態においては、携帯電話機１に接続する外部機器から取扱情報を入手して表示していたこれに限られない。例えば、携帯電話機１の内蔵メモリや外付けメモリから取扱情報を取得して、携帯電話機１のディスプレイ又はディスプレイ装置に表示させるように構成しても良い。
【００７９】
また、本実施形態の携帯電話機１では、折り畳み型の携帯電話機として構成したが、これに限られず、例えば、操作部側筐体部１１と表示部側筐体部１２とを重ね合わせた状態から一方の筐体を一方向にスライドさせるようにしたスライド式や、操作部側筐体部１１と表示部側筐体部１２との重ね合せ方向に沿う軸線を中心に一方の筐体を回転させるようにした回転式（ターンタイプ）、２軸ヒンジタイプ等であってもよい。この際、変形を一操作として、機能を実行するように構成して、ケーブル等を接続した通信可能状態において、この操作をきっかけにして、取扱情報を表示部に表示するように構成しても良い。
【００８０】
以上、本発明は、電子装置の一例として携帯電話機を説明したが、これに限られず、ＰＨＳ（Ｐａｓｏｎａｌ  Ｈａｎｄｙｐｈｏｎｅ  Ｓｙｓｔｅｍ）にも適用可能である。また、本発明は、ポータブルゲーム機、ポータブルナビゲーション機、ＰＤＡ（Ｐｅｒｓｏｎａｌ  Ｄａｔａ  Ａｓｓｉｓｔａｎｃｅ）、ノートパソコン等の電子機器にも適用可能である。また、外部機器においては、ＣＤ−ＲＯＭ読取装置として据え置き型パソコンを一例として説明したがこれに限られず、ノートパソコンや携帯電話機等の携帯端末であっても良い。
【符号の説明】
【００８１】
１      携帯電話機（電子機器）
２      ＣＤ−ＲＯＭ読取装置（外部機器）
１４    操作キー（第１の操作部）
１６    ディスプレイ（第１の表示部）
３１    機能実行部
３２    主制御部（制御部）
２２    ディスプレイ装置（第２の表示部）
２３    マウス（第２の操作部）
Ｓ      取扱情報表示システム
【図１】
0005507157.tif 000002
【図２】
0005507157.tif 000003
【図３】
0005507157.tif 000004
【図４】
0005507157.tif 000005
【図５】
0005507157.tif 000006
【図６】
0005507157.tif 000007
【図７】
0005507157.tif 000008
【図８】
0005507157.tif 000009